(57)【要約】      （修正有）【課題】介護時に必要に応じて障壁を画成したり、障壁を無くしたりすることが可能であり、障壁の角度を変更することが可能な食事用エプロンを提供する。【解決手段】食事用エプロン１の周縁２に沿って障壁を画成することができるように、エプロンの両側縁部４、５に、塑性変形可能で、かつ、形状保持性を有する、保形ワイヤー６が取り付けられている。エプロンの両側縁部４、５には、それぞれ、エプロンの上面１ａ同士を接合させる一対の面ファスナー７ａ、７ｂ及び８ａ、８ｂが取り付けられている。面ファスナーを互いに接合させると、エプロンの両側縁部４、５から内方９に延在する一対の折り曲げ溝１０、１１を形成することができる。エプロンの前端部１２の裏面１ｂには、滑り止め部材１３が取り付けられている。【選択図】図１
0003195568.tif 000002
【実用新案登録請求の範囲】
【請求項１】
食事用エプロンの周縁に沿って障壁を画成することができるように、前記食事用エプロンの両側縁部に、塑性変形可能で、かつ、形状保持性を有する、保形部材を取付けたことを特徴とする、食事用エプロン。
【請求項２】
請求項１に記載の食事用エプロンにおいて、前記食事用エプロンに、前記食事用エプロンの前記両側縁部から前記食事用エプロンの内方に延在する一対の折り曲げ溝を形成することができるように、前記食事用エプロンの前記両側縁部に、それぞれ、前記食事用エプロンの上面同士を接合させる一対の面ファスナーを取付けたことを特徴とする、前記食事用エプロン。
【請求項３】
請求項２に記載の食事用エプロンにおいて、前記食事用エプロンの前端部の裏面に滑り止め部材を取付け、前記食事用エプロンの後端部に、エプロン使用者の首部に係合するエプロン装着部を設けたことを特徴とする、前記食事用エプロン。
【請求項４】
請求項３に記載の食事用エプロンにおいて、前記食事用エプロンの周縁及びその付近を折り重ねることにより、前記食事用エプロンの前記両側縁部に、それぞれ、前記食事用エプロンの上面に隆起した一対の折り重ね部を形成し、前記一対の折り重ね部に、それぞれ、一対の保形部材収容部を形成すると共に、前記補正部材収容部に、それぞれ、保形部材を収納し、前記一対の折り重ね部に、それぞれ、前記一対の保形部材収容部を連結する隆起面を形成し、前記隆起面に前記一対の面ファスナーを取付けたことを特徴とする、前記食事用エプロン。
【請求項５】
請求項４に記載の食事用エプロンにおいて、前記一対の折り重ね部は、それぞれ、互いに間隔を置いて位置する一対のＳ字状屈曲部を有し、前記保形部材収容部は、前記食事用エプロンの上面と前記Ｓ字状屈曲部の間にそれぞれ形成されることを特徴とする、前記食事用エプロン。
【請求項６】
請求項５に記載の食事用エプロンにおいて、前記折り重ね部は、前記食事用エプロンの周縁及びその付近を折り重ねることにより、前記食事用エプロンの周縁長を短縮し、これにより前記食事用エプロンの前記一対の折り重ね部の間に、前記食事用エプロンの上面から裏面に向かって湾曲した凹部を形成することを特徴とする、前記食事用エプロン。
【請求項７】
請求項６に記載の食事用エプロンにおいて、前記一対の折り重ね部の前記一対の面ファスナーをそれぞれ付着させることによって、前記隆起面は、前記凹部に向かって傾斜する溝を形成することを特徴とする、前記食事用エプロン。
【考案の詳細な説明】
【技術分野】
【０００１】
本考案は、被介護者用エプロンに適した食事用エプロンに関するものである。
【背景技術】
【０００２】
従来、被介護者が使用する食事用エプロンから飲食物がこぼれ落ちることを防止するため、種々の提案がなされている。例えば、特開２００１−３１６９１８号公報には、食事用エプロンの袋部の両側にコールゴム部やタック部を形成し、袋部に落下した飲食物が袋部の側方からこぼれ落ちることを防止すると共に、食事用エプロンの食器載置面の裏面に滑り止め面を形成した食事用エプロンが開示されている。
【０００３】
また、実用新案登録第３０８６８９１号公報には、エプロンの受け部の両側にまちを形成するために、エプロンとは別体のシートを縫い付けて障壁を形成し、更に、このシートに、エプロンの受け部側に開口したタックを形成することにより、受け部に落下した飲食物をタックの開口からタック内に流入させるように構成したエプロンが開示されている。
【０００４】
更に、実用新案登録第３０６３５５２号公報には、エプロンの下部を上方に折り返してタッチクローズ型面ファスナーで取り外し自在に固定して、エプロンの下部に食べこぼしを受け入れるポケットを形成したエプロンが開示されている。
【先行技術文献】
【特許文献】
【０００５】
【特許文献１】特開２００１−３１６９１８号公報
【特許文献２】実用新案登録第３０８６８９１号公報
【特許文献３】実用新案登録第３０６３５５２号公報
【考案の概要】
【考案が解決しようとする課題】
【０００６】
しかしながら、従来の食事用エプロンでは、前述のコールゴム部やタック部によって形成される障壁も、エプロンとは別体のシートによって形成されるまちも、エプロンの下部を上方に折り返して形成されるポケットも、介護時の必要に応じて、その形態を変更することができない。また、前述のコールゴム部やタック部を形成するにも、エプロンとは別体のシートを縫い付けてまちを形成するにも、相応の困難が伴う。
【０００７】
そこで、本考案の目的は、介護時に、必要に応じて、障壁を画成したり、障壁を無くしたりすることが可能であり、更に、障壁の角度を変更することが可能な食事用エプロンを提供することにある。
【０００８】
本考案の他の目的は、製造が容易な食事用エプロンを提供することにある。
【課題を解決するための手段】
【０００９】
前述の目的を達成するため、本考案の食事用エプロンは、食事用エプロンの周縁に沿って障壁を画成することができるように、前記食事用エプロンの両側縁部に、塑性変形可能で、かつ、形状保持性を有する、保形部材を取付けたことを特徴とする。
【００１０】
また、本考案の食事用エプロンは、前記食事用エプロンに、前記食事用エプロンの前記両側縁部から前記食事用エプロンの内方に延在する一対の折り曲げ溝を形成することができるように、前記食事用エプロンの前記両側縁部に、それぞれ、前記食事用エプロンの上面同士を接合させる一対の面ファスナーを取付けたことを特徴とする。
【００１１】
更に、本考案の食事用エプロンは、前記食事用エプロンの前端部の裏面に滑り止め部材を取付け、前記食事用エプロンの後端部に、エプロン使用者の首部に係合するエプロン装着部を設けたことを特徴とする。
【００１２】
更に、本考案の食事用エプロンは、前記食事用エプロンの周縁及びその付近を折り重ねることにより、前記食事用エプロンの前記両側縁部に、それぞれ、前記食事用エプロンの上面に隆起した一対の折り重ね部を形成し、前記一対の折り重ね部に、それぞれ、一対の保形部材収容部を形成すると共に、前記補正部材収容部に、それぞれ、保形部材を収納し、前記一対の折り重ね部に、それぞれ、前記一対の保形部材収容部を連結する隆起面を形成し、前記隆起面に前記一対の面ファスナーを取付けたことを特徴とする。
【００１３】
更に、本考案の食事用エプロンは、前記一対の折り重ね部は、それぞれ、互いに間隔を置いて位置する一対のＳ字状屈曲部を有し、前記保形部材収容部は、前記食事用エプロンの上面と前記Ｓ字状屈曲部の間にそれぞれ形成されることを特徴とする。
【００１４】
更に、本考案の食事用エプロンは、前記折り重ね部は、前記食事用エプロンの周縁及びその付近を折り重ねることにより、前記食事用エプロンの周縁長を短縮し、これにより前記食事用エプロンの前記一対の折り重ね部の間に、前記食事用エプロンの上面から裏面に向かって湾曲した凹部を形成することを特徴とする。
【００１５】
更に、本考案の食事用エプロンは、前記一対の折り重ね部の前記一対の面ファスナーをそれぞれ付着させることによって、前記隆起面は、前記凹部に向かって傾斜する溝を形成することを特徴とする。
【考案の効果】
【００１６】
本考案の食事用エプロンは、介護者が必要に応じて保形部材の角度を変更することができるから、被介護者に最良の食事環境を提供することができる。また、必要に応じて、食事用エプロンの両側縁部にそれぞれ取り付けられた一対の面ファスナーによって食事用エプロンの上面同士を接合させ、食事用エプロンの両側縁部から食事用エプロンの内方に延在する一対の折り曲げ溝を形成すれば、食事エプロンの両側縁部の間に凹部を形成することができる。この凹部の形状は、保形部材の変形角度によって調節することができるから、この凹部によって食べこぼしを適切に捕捉することができる。更に、凹部に補足された食べこぼしは、必要に応じて面ファスナーを解放させることによって、エプロンからバケツ等に容易に移動させることができる。更に、食事用エプロンの前端部の裏面に滑り止め部材を取付ければ、凹部に補足された食べこぼしの重量が増加しても、保形部材の角度や凹部の形態が変化し難いという効果を得ることができる。保形部材は、ワイヤー状や平板状の保形部材を用いることができる。そして、保形部材と面ファスナーと滑り止め部材の取付けは容易であるから、本考案の食事用エプロンは容易に製造することができる。
【００１７】
また、食事用エプロンの周縁及びその付近を折り重ねることにより、食事用エプロンの両側縁部に、それぞれ、食事用エプロンの上面に隆起した一対の折り重ね部を形成すれば、食事用エプロンの周縁及びその付近を折り重ねることにより、食事用エプロンの周縁長が短縮される。これによって、食事用エプロンの一対の折り重ね部の間に食事用エプロンの上面から裏面に向かって湾曲した凹部を形成することができる。また、これらの折り重ね部に保形部材収容部を形成して保形部材を収納すれば、介護者等が保形部材に直接触れることを防止することができる。また、一対の折り重ね部に、それぞれ、保形部材収容部を連結する隆起面を形成し、この隆起面に一対の面ファスナーを取付ければ、これらの面ファスナーを付着させることによって、この隆起面は、前述の凹部に向かって傾斜する溝を形成することができる。これにより、食べこぼしを効果的に凹部に集めることができる。更に、折り重ね部に互いに間隔を置いて位置する一対のＳ字状屈曲部を形成し、保形部材収容部を食事用エプロンの上面とＳ字状屈曲部の間に形成すれば、折り重ね部の形成時に保形部材を収容することができるから、食事用エプロンの製造が容易になる。更に、Ｓ字状屈曲部の形成により、折り重ね部の開口部を食事用エプロンの裏面に位置させることができるから、この開口部から折り重ね部に食べこぼしが流入することを防止することができる。
【００１８】
本考案のその他の特徴は、図面を参照して説明する以下の記述から明らかになる。
【図面の簡単な説明】
【００１９】
【図１】図１は、本考案の食事用エプロンの基本的な構成を示し、図１（ａ）は、この食事用エプロンの上面図であり、図１（ｂ）は、この食事用エプロンの裏面図である。（実施例１）
【図２】図２は、図１の食事用エプロンの使用状態を表す斜視図である。（実施例１及び２）
【図３】図３は、本考案の食事用エプロンの他の実施例の上面図である。（実施例２）
【図４】図４は、図３の食事用エプロンの裏面図である。（実施例２）
【図５】図５は、図３のＡ−Ａ線に沿って食事用エプロンの折り返し部を切断し、この折り返し部の一部を食事用エプロンの上面側から見た斜視図である。（実施例２）
【図６】図６は、図４のＢ−Ｂ線に沿って食事用エプロンの折り返し部を切断し、この折り返し部の一部を食事用エプロンの裏面側から見た斜視図である。（実施例２）
【図７】図７は、図３の食事用エプロンの斜視図である。（実施例２）
【図８】図８は、図３の食事用エプロンの形状保持材を上方に屈曲させて、食事用エプロンの両側縁部に障壁を形成した、食事用エプロンの上面図である。（実施例２）
【図９】図９は、図８のＣ−Ｃ線に沿う断面図である。（実施例２）
【図１０】図１０は、図３の食事用エプロンの面ファスナーを閉じたときの斜視図である。（実施例２）
【図１１】図１１は、図１０のＤ−Ｄ線に沿う断面図である。
【考案を実施するための形態】
【００２０】
本考案の食事用エプロンは、可撓性と撥水性を有するポリエステル繊維の織編物によって製造することができる。また、本考案に使用する保形部材は、ポリエチレンの芯材をポリエステルの鞘材で覆ったワイヤー材やテープ材を使用することができる。
【実施例１】
【００２１】
図１及び２は、本考案の第一実施例を示す。食事用エプロン１は、食事用エプロン１の周縁２に沿って障壁３を画成することができるように、食事用エプロン１の両側縁部４、５に、塑性変形可能で、かつ、形状保持性を有する、保形ワイヤー６、６が取り付けられている。
【００２２】
食事用エプロン１の両側縁部４、５には、それぞれ、食事用エプロン１の上面１ａ同士を接合させる一対の面ファスナー７ａ、７ｂ及び８ａ、８ｂが取り付けられている。面ファスナー７ａ、７ｂ及び８ａ、８ｂを互いに接合させると、食事用エプロン１には、食事用エプロン１の両側縁部４、５から食事用エプロン１の内方９に延在する一対の折り曲げ溝１０、１１を形成することができる。
【００２３】
食事用エプロン１の前端部１２の裏面１ｂには、滑り止め部材１３が取り付けられ、また、食事用エプロン１の後端部１４には、エプロン使用者１５の首部１６に係合するエプロン装着部１７が形成され、エプロン装着部１７には、食事用エプロン１の上面１ａと裏面１ｂとに、互いに係合離脱可能な一対の面ファスナー１８ａ、１８ｂが取り付けられている。
【００２４】
食事用エプロン１の保形ワイヤー６、６は、介護者が必要に応じてその角度を変更することができるから、被介護者に最良の食事環境を提供することができる。また、必要に応じて、食事用エプロン１の両側縁部４、５に取り付けられた一対の面ファスナー７ａ、７ｂ及び８ａ、８ｂを接合させれば、食事用エプロン１の両側縁部４、５から食事用エプロン１の内方９に延在する一対の折り曲げ溝１０，１１を形成することができる。一対の折り曲げ溝１０、１１が形成されると、食事エプロン１の両側縁部４、５の間に凹部（図示せず。）を形成することができる。この凹部の形状は、保形ワイヤー６、６の変形角度によって調節することができるから、保形ワイヤー６、６の変形角度を適切に調節すれば、この凹部によって食べこぼしを効果的に捕捉することができる。更に、この凹部に補足された食べこぼしは、必要に応じて面ファスナー７ａ、７ｂ又は８ａ、８ｂを解放させることによって、食事用エプロン１からバケツ等に容易に移動させることができる。更に、食事用エプロン１の前端部１２の裏面１ｂに滑り止め部材１３を取付ければ、この凹部に補足された食べこぼしの重量が増加しても、保形ワイヤー６、６の角度や凹部の形態が変化し難い。
【実施例２】
【００２５】
図３乃至１１は、本考案の第二実施例を示す。図３乃至１１中、図１及び２で使用された参照番号と同一の番号は、同一名称の構成要素を示す。この実施例の食事用エプロン１００の特徴は、食事用エプロン１００の周縁２及びその付近を折り重ねることにより、食事用エプロン１００の両側縁部４，５に、それぞれ、食事用エプロン１００の上面１ａに隆起した一対の折り重ね部１０１、１０２を形成し、これらの折り重ね部１０１、１０２に、それぞれ、一対の保形部材収容部１０３、１０４及び１０５、１０６を形成し、これらの補正部材収容部１０３、１０４、１０５、１０６に、それぞれ、板状の保形部材１０７を収納し、一対の折り重ね部１０１、１０２に、それぞれ、一対の保形部材収容部１０３、１０４及び１０５、１０６を連結する隆起面１０８、１０９を形成し、隆起面１０８、１０９に一対の面ファスナー７ａ、７ｂ、８ａ、８ｂを取付けたことを特徴とする。
【００２６】
一対の折り重ね部１０１、１０２は、それぞれ、互いに間隔を置いて位置する一対のＳ字状屈曲部Ｓ１、Ｓ２を有し、保形部材収容部１０３、１０４、１０５、１０６は、食事用エプロン１００の上面１ａとＳ字状屈曲部Ｓ１、Ｓ２の間にそれぞれ形成される。また、折り重ね部１０１、１０２は、食事用エプロン１００
の周縁２及びその付近を折り重ねることにより、食事用エプロン１００の周縁長を短縮するから、食事用エプロン１００の一対の折り重ね部１０１、１０２の間に、食事用エプロン１００の上面１ａから裏面１ｂに向かって湾曲した凹部１１０が形成される。また、図７に示すように、凹部１１０の両側には、保形部材収容部１０３、１０４、１０５、１０６に収容された板状の保形部材１０７の剛性によって、フラップ部１１１、１１２が画成され、図７では、板状の保形部材１０７の重量によって、フラップ部１１１、１１２が若干外方へ傾斜している。
【００２７】
図８及び９は、食事用エプロン１００の折り重ね部１０１、１０２の板状の保形部材１０７、１０７をほぼ直角に折り曲げて、食事用エプロン１００の側縁部４、５に障壁３、３を形成した場合を示す。また、図１０及び１１は、食事用エプロン１００の折り重ね部１０１、１０２の一対の面ファスナー７ａ、７ｂ、８ａ、８ｂを付着させることによって、食事用エプロン１００の折り重ね部１０１、１０２の間に、一定の形状の凹部１１３を形成すると共に、折り重ね部１０１、１０２の隆起面１０８、１０９が凹部１１３に向かって傾斜する溝１１４、１１５を形成することを示している。凹部１１３は、図７の凹部１１０に比較して、形状保持力が高く、また、凹部１１３に向かって傾斜する溝１１４、１１５は、板状の保形部材１０７によって両側を保持されるから、凹部１１３と同様に、形状保持力が高い。
【００２８】
食事用エプロン１００の周縁２及びその付近を折り重ねることにより、食事用エプロン１００の両側縁部４、５に、それぞれ、食事用エプロン１００の上面１ａに隆起した一対の折り重ね部１０１、１０２を形成すれば、食事用エプロン１００の周縁２及びその付近を折り重ねることにより、食事用エプロン１００の周縁長が短縮される。これによって、食事用エプロン１００の一対の折り重ね部１０１、１０２の間に食事用エプロン１００の上面１ａから裏面１ｂに向かって湾曲した凹部１１０を形成することができる。また、これらの折り重ね部１０１、１０２に保形部材収容部１０３、１０４、１０５、１０６を形成して保形部材１０７を収納すれば、介護者等が保形部材１０７に直接触れることを防止することができる。また、一対の折り重ね部１０１、１０２に、それぞれ、保形部材収容部１０３、１０４、１０５、１０６を連結する隆起面１０８、１０９を形成し、これらの隆起面１０８、１０９に一対の面ファスナー７ａ、７ｂ、８ａ、８ｂを取付ければ、これらの面ファスナー７ａ、７ｂ、８ａ、８ｂを付着させることによって、食事用エプロン１００の折り重ね部１０１、１０２の間に、形状保持力の高い凹部１１３を形成すると共に、折り重ね部１０１、１０２の隆起面１０８、１０９は、凹部１１３に向かって傾斜する溝１１４、１１５を形成することができる。これにより、食べこぼしを効果的に凹部１１３に集めることができる。更に、折り重ね部１０１、１０２に互いに間隔を置いて位置する一対のＳ字状屈曲部Ｓ１、Ｓ２を形成し、保形部材収容部１０３、１０４、１０５、１０６を食事用エプロン１００の上面１ａとＳ字状屈曲部Ｓ１，Ｓ２の間に形成すれば、折り重ね部１０１、１０２の形成時に保形部材１０７を収容することができるから、食事用エプロン１００の製造が容易になる。更に、Ｓ字状屈曲部Ｓ１、Ｓ２の形成により、折り重ね部１０１、１０２の開口部１１６、１１７を食事用エプロン１００の裏面１ｂに位置させることができるから、これらの開口部１１６、１１７から折り重ね部１０１、１０２に食べこぼしが流入することを防止することができる。
【符号の説明】
【００２９】
１    食事用エプロン
２    周縁
３    障壁
４    側縁部
５    側縁部
６    保形ワイヤー（保形部材）
７ａ、７ｂ    面ファスナー
８ａ、８ｂ    面ファスナー
１０、１１    折り曲げ線
１３    滑り止め部材
【図１】
0003195568.tif 000003
【図２】
0003195568.tif 000004
【図３】
0003195568.tif 000005
【図４】
0003195568.tif 000006
【図５】
0003195568.tif 000007
【図６】
0003195568.tif 000008
【図７】
0003195568.tif 000009
【図８】
0003195568.tif 000010
【図９】
0003195568.tif 000011
【図１０】
0003195568.tif 000012
【図１１】
0003195568.tif 000013